(57)【要約】【課題】近接スパー及び交差スパーの発生を回避するヘテロダインまたは混合のシステム、並びに、混合方法の提供【解決手段】本発明のヘテロダイン・システムは、受信された駆動信号に応答する第一の信号と第二の信号であって、第一の信号の周波数を第二の信号の周波数で割った結果が整数比である第一の信号と第二の信号を提供する。ミクサは、第一の信号と第二の信号を受信し、混合生成物を提供する。ミクサにより生成されたスプリアス信号は、整数比が約分された時の整数比の分母で割られた第二の信号の周波数の整数倍により指定された混合生成物の１つからオフセットする。【選択図】図２Ａ
2005086812.tif 000002
【特許請求の範囲】
【請求項１】
駆動信号を受信し、前記駆動信号に応答して第１の信号を送り出す第１の信号経路と、
前記駆動信号を受信し、前記駆動信号に応答して、第２の信号を送り出す第２の信号経路を有し、前記第１の信号経路及び前記第２の信号経路の少なくとも一方において、前記第１の信号の周波数を前記第２の信号の周波数で割った値が整数比をなすように、駆動信号の周波数にスケーリングが施されることと、さらに、
前記第１の信号及び前記第２の信号を受信して、前記第１の信号と前記第２の信号の一連の混合生成物を送り出すミクサが具備されることを特徴とする、
ヘテロダイン・システム。
【請求項２】
前記一連の混合生成物に、指定の信号が含まれ、前記指定の信号以外の前記一連の混合生成物の周波数が、前記整数比を約分した場合、前記第２の信号の周波数を前記整数比の分母で割った値の整数倍だけ前記指定の信号からオフセットしていることを特徴とする、請求項１に記載のヘテロダイン・システム。
【請求項３】
さらに、前記一連の混合生成物のうち指定の１つを選択する少なくとも１つのフィルタが具備されることを特徴とする、請求項１に記載のヘテロダイン・システム。
【請求項４】
さらに、前記指定の信号を選択し、前記指定の信号以外の前記一連の混合生成物を除去する少なくとも１つのフィルタを具備することを特徴とする、請求項２に記載のヘテロダイン・システム。
【請求項５】
前記第１の信号経路に、周波数逓倍器が具備されることを特徴とする、請求項１に記載のヘテロダイン・システム。
【請求項６】
前記第２の信号経路に、前記第２の信号に変調を加える変調器が具備されることを特徴とする、請求項１に記載のヘテロダイン・システム。
【請求項７】
前記第２の信号経路に、前記第２の信号に変調を加える変調器が具備されることを特徴とする、請求項５に記載のヘテロダイン・システム。
【請求項８】
前記周波数逓倍器に、縦続接続周波数二倍器が含まれることを特徴とする、請求項５に記載のヘテロダイン・システム。
【請求項９】
さらに、前記第１の信号経路及び前記第２の信号経路に駆動信号を送り出す信号源が具備されることを特徴とする、請求項１に記載のヘテロダイン・システム。
【請求項１０】
さらに、出力に対して前記指定信号と前記駆動信号を交互に結合する切換え可能バイパス経路が具備されることを特徴とする、請求項９に記載のヘテロダイン・システム。
【請求項１１】
受信した駆動信号の周波数に整数倍のスケーリングを施して、第１の信号を送り出す第１の信号経路と、
前記駆動信号を受信し、前記駆動信号に応答して、第２の信号を送り出す第２の信号経路と、
前記第１の信号及び前記第２の信号を受信して、前記第１の信号及び前記第２の信号の一連の混合生成物を送り出すミクサとを具備する、
ヘテロダイン・システム。
【請求項１２】
前記第２の信号経路に、前記第２の信号に変調を施すための変調器が具備されることを特徴とする、請求項１１に記載のヘテロダイン・システム。
【請求項１３】
前記変調器がＩＱ変調器であることを特徴とする、請求項１２に記載のヘテロダイン・システム。
【請求項１４】
さらに、前記一連の混合生成物から指定の混合生成物を選択する少なくとも１つのフィルタが具備されることを特徴とする、請求項１１に記載のヘテロダイン・システム。
【請求項１５】
前記少なくとも１つのフィルタが、前記第２の信号の周波数の整数倍だけ前記指定の混合生成物から周波数がオフセットした、前記一連の混合生成物を除去する阻止域を備えることを特徴とする、請求項１４に記載のヘテロダイン・システム。
【請求項１６】
さらに、前記第１の信号経路及び前記第２の信号経路に駆動信号を送り出す信号源が具備されることを特徴とする、請求項１１に記載のヘテロダイン・システム。
【請求項１７】
ヘテロダイン方法であって、
駆動信号を受信するステップと、
前記駆動信号に応答し、第１の信号の周波数を第２の信号の周波数で割った値が整数比になるようにして、前記第１の信号及び前記第２の信号を送り出すステップと、
前記第１の信号及び前記第２の信号を混合して、前記第１の信号及び前記第２の信号の一連の混合生成物を送り出すステップとを有する、
方法。
【請求項１８】
前記一連の混合生成物に、指定の信号が含まれることと、前記指定の信号以外の前記一連の混合生成物の周波数が、前記整数比を約分した場合、前記第２の信号の周波数を前記整数比の分母で割った値の整数倍だけ前記指定の信号からオフセットしていることを特徴とする、請求項１７に記載のヘテロダイン方法。
【請求項１９】
さらに、前記一連の混合生成物のうち指定の１つを選択するステップを有することを特徴とする、請求項１７に記載のヘテロダイン方法。
【請求項２０】
さらに、前記第２の信号に変調を施すステップを有することを特徴とする、請求項１７に記載のヘテロダイン方法。
【発明の詳細な説明】
【背景技術】
【０００１】
ヘテロダインまたは混合は、多くのタイプの信号源の動作周波数範囲を拡大するために用いられる。例えば、信号源内の周波数Ｆ１の同調可能信号Ｓ１は、図１Ａに示す周波数Ｆ２のもう１つの信号源によって得られる固定周波数信号Ｓ２と混合すると、周波数Ｆ３＝Ｆ１±Ｆ２を備えた所望の信号Ｓ３が得られるように変換することが可能である。しかし、混合に固有の非線形性によって、所望の信号Ｓ３以外に、望ましくないスプリアス信号すなわち「スパー」Ｓｓを生じることになる。一般に、周波数Ｆｓ＝ＮＦ１±ＭＦ２（Ｎ、Ｍは整数）において生じる、これらのスパーＳｓ（図１Ｂに示す）は、信号Ｓ３と「交差」する場合、または、周波数Ｆ１、Ｆ２、及び、整数Ｎ、Ｍの組み合わせによって、スパーの周波数Ｆｓが信号Ｓ３の周波数Ｆ３に近くなる場合、とりわけ、問題になる。信号Ｓ１の周波数の同調時に、周波数Ｆ３未満の周波数から上昇するか、または、周波数Ｆ３を超える周波数から降下する交差スパーは、実際に、信号Ｓ３の周波数Ｆ３と「交差」する、すなわち、周波数Ｆ３を通過する可能性がある。信号源を利用して、受信機の隣接チャネル選択性をテストする場合に、信号Ｓ３に近いと、これらのスパーＳｓによって、エラーが導入される可能性がある。信号源がスペクトル分析器の局部発振器として用いられる場合、スパーによって、スペクトル分析器によって分析される信号との識別が困難になる可能性のある、画面上の擬似信号またはスプリアス応答が生じる可能性がある。
【０００２】
多くの信号源には、信号Ｓ３から周波数が十分にオフセットしたスパーＳｓを除去するフィルタＢＰＦが含まれているが、ＢＰＦの通過帯域ＰＢ内にある近接スパー及び交差スパーは、除去されない（図１Ｂ）。従って、信号Ｓ３の周波数Ｆ３に近接したスパーＳｓを最小限に抑えるため、さまざまな方式が用いられてきた。
【０００３】
第１の混合方式では、所望の信号Ｓ３に関して、信号Ｓ３の周波数Ｆ３に極めて近いスパーを生じることのない、信号Ｓ１及び信号Ｓ２の組合せが得られるように、多数の固定周波数Ｆ２を備えた信号Ｓ２が必要になる。例えば、高い値のＭ及びＮを備える信号Ｓ１及びＳ２の組み合わせから生じるスパーＳｓは、低い値のＭ及びＮから生じるスパーよりも弱く、大きさが小さい。この方式によれば、近接スパー及び交差スパーのレベルを低下させることが可能であるが、複数周波数Ｆ２を備える信号Ｓ２に依存するものであり、そのため、混合方式を用いる信号源のコストまたは複雑性を増すことになる可能性がある。もう１つのアプローチによれば、信号Ｓ１及びＳ２を混合するミクサＭＸＲの線形ポートを駆動する、信号Ｓ１のレベルを低下させることによって、スパーを発生する非線形性の効果が軽減される。これによって、近接スパー及び交差スパーのレベルを低下させることができるが、一般に、ミクサが含まれる信号源のＳ／Ｎ比を劣化させることになる。
【発明の開示】
【発明が解決しようとする課題】
【０００４】
本発明の要旨は、駆動信号を受信し、前記駆動信号に応答し、第１の信号の周波数を第２の信号の周波数で割った値が整数比になるように前記第１の信号及び前記第２の信号を生成し、前記第１の信号及び前記第２の信号を混合して、前記第１の信号及び前記第２の信号の一連の混合生成物を生成することにある。
【課題を解決するための手段】
【０００５】
本発明の実施態様によれば、近接スパー及び交差スパーの発生を回避するヘテロダインまたは混合のシステム及び混合方法が得られる。
【発明の効果】
【０００６】
本発明の実施態様によれば、混合またはヘテロダインにおいて、近接スパー及び交差スパーの発生を回避することができる。これにより、例えば、近接スパー及び交差スパーの発生を回避するヘテロダインまたは混合のシステム及び混合方法が得られる。
【発明を実施するための最良の形態】
【０００７】
図２Ａ〜図２Ｃには、本発明の実施態様によるヘテロダイン・システムが示されている。図２Ａのヘテロダイン・システム１０には、それぞれ、駆動信号Ｘｄを受信する、信号経路Ｐ１及び信号経路Ｐ２が含まれている。図示の例の場合、駆動信号Ｘｄは、約３〜２０ＧＨｚの周波数範囲にわたって同調可能なＹＩＧ同調発振器（ＹＴＯ）によって得られる。しかし、駆動信号Ｘｄは、周波数が固定されているか、または、ある周波数範囲にわたって同調可能な、任意の適合する信号源１２によって生じさせることも可能である。ヘテロダイン・システム１０が、ＲＦまたはマイクロ波周波数のような高周波数で動作する場合、第１の信号経路、第２の信号経路、及び、信号源の間のインピーダンス整合及び分離は、信号源１２と信号経路Ｐ１、Ｐ２との間に挿入されたパワー・スプリッタ、カプラ、または、他の適合するネットワーク１４によって施すことが可能である。
【０００８】
信号経路Ｐ１は、受信した駆動信号Ｘｄに応答して、信号Ｘ１を送り出し、一方、信号経路Ｐ２は、受信した駆動信号Ｘｄに応答して、信号Ｘ２を送り出す。信号経路Ｐ１、Ｐ２の一方または両方に周波数スケーラ１６、１８が含まれている。周波数スケーラ１６、１８は、対応する信号経路Ｐ１、Ｐ２の一方または両方内において駆動信号Ｘｄの周波数ｆｄに、それぞれ、係数ｇ＊Ｂ、ｇ＊Ａによる修正またはスケーリングを施すが、ここで、Ａ及びＢは整数であり、ｇはあらかじめ指定された任意の値を有している。周波数スケーリングによって、信号Ｘ１の周波数ｆ１と信号Ｘ２の周波数ｆ２の比が、整数比すなわち整数の比率になる。従って、周波数スケーリングを施すと、信号Ｘ１とＸ２の間の周波数関係ｆ１＝ｆ２（Ｂ／Ａ）が得られるが、分数（Ｂ／Ａ）は、今後、整数比（ｇ＊Ｂ）／（ｇ＊Ａ）を約分したものを表わすものとする。一般に、周波数スケーラ１６、１８は、信号経路Ｐ１、Ｐ２の一方または両方における周波数逓倍器または周波数分割器を用いて実施される。
【０００９】
信号経路Ｐ１及びＰ２がミクサＭ１に結合されていて、信号Ｘ１がミクサＭ１の第１のポート１に加えられ、第２の信号Ｘ２がミクサＭ１の第２のポート２に加えられるようになっている。高周波用途の場合、ミクサＭ１は、一般に、ダイオード・リング、または、他のタイプの二重平衡ミクサである。しかし、さまざまなタイプのミクサＭ１が信号Ｘ１、Ｘ２の混合に適合する。
【００１０】
ポート１、２における信号Ｘ１、Ｘ２に応答して、ミクサＭ１は、周波数ｆ３の所望の信号Ｘ３を含む一連の混合生成物を発生する。ここで、ｆ３＝ｆ１±ｆ２。信号Ｘ３の周波数がｆ３＝ｆ１＋ｆ２の場合、周波数ｆ１−ｆ２において、信号Ｘ３の虚像Ｘ３’が生じ、一方、信号Ｘ３の周波数がｆ３＝ｆ１−ｆ２の場合、周波数ｆ１＋ｆ２において、信号Ｘ３の虚像Ｘ３’が生じる。一連の混合生成物には、周波数ｆｓ＝Ｎｆ２±Ｍｆ１におけるミクサＭ１に固有の非線形性から生じる、スプリアス信号すなわちスパーＸｓも含まれる。ここで、Ｎ、Ｍは整数である。信号Ｘ１及びＸ２の周波数ｆ１とｆ２が整数比の関係をなす結果として、スパー周波数について、ｆｓ＝Ｎｆ２±ＭＢ／Ａ（ｆ２）＝（Ｊ／Ａ）ｆ２の周波数関係が得られる。ここで、Ｊ＝ＮＡ±ＭＢであり、整数である。あらゆるＪ値について、スパーＸｓが、周波数ｆｓで生じることが可能というわけではないが、スパーＸｓのそれぞれに生じる整数Ｊが存在する。
【００１１】
上記関係から、信号Ｘ３とスパーＸｓとの間にある周波数関係を確立することが可能である。すなわち、信号Ｘ３の周波数ｆ３は、関係式
ｆ３＝ｆ１±ｆ２＝（Ｂ／Ａ±１）ｆ２＝（Ｋ／Ａ）ｆ２（ここで、Ｋは整数）
によって表わされるが、スパーＸｓの周波数ｆｓは、関係式
ｆｓ＝（Ｊ／Ａ）ｆ２＋ｆ３−（Ｋ／Ａ）ｆ２＝ｆ３＋（（Ｊ−Ｋ）／Ａ）ｆ２＝ｆ３＋（Ｌ／Ａ）ｆ２（ここで、Ｌは整数）
で表わすことが可能である。従って、スパーＸｓは、信号Ｘ３（Ｌ＝０）に一致するか、その周波数が、量（Ｌ／Ａ）ｆ２だけ所望の信号Ｘ３からオフセットする。整数比Ｂ／Ａが、約分された、それぞれ、信号Ｘ１、Ｘ２の周波数ｆ１、ｆ２の整数比に相当する場合、所望の信号Ｘ３に最も近いオフセット・スパーＸｓは、周波数オフセットがｆ２／Ａ（Ｌ＝１）になる。信号Ｘ３の周波数がｆ３＝ｆ１＋ｆ２の場合、オフセット・スパーＸｓは、周波数が周波数間隔ｆｄｅｌｔａ＝ｆ３／（Ｂ＋Ａ）＝ｆ２／Ａだけ離隔する（図３に示すように）。信号Ｘ３の周波数がｆ３＝ｆ１−ｆ２の場合、オフセット・スパーＸｓは、周波数が周波数間隔ｆｄｅｌｔａ＝ｆ３／（Ｂ−Ａ）＝ｆ２／Ａだけ離隔する。
【００１２】
スパーＸｓの周波数オフセット（Ｌ／Ａ）ｆ２によって（図３に示す）、不一致スパーにフィルタリングを施して、ミクサＭ１によって得られる信号Ｘ３のスペクトル純度を改善することが可能になる。この例の場合、単一フィルタ、複数フィルタ、または、切換え可能フィルタ・バンクを含むことが可能な、オプションで含まれるフィルタＦＯＵＴは、図示のように、ミクサＭ１と縦続接続されている。フィルタＦＯＵＴは、信号Ｘ３、信号Ｘ３の虚像Ｘ３’、及び、スパーＸｓを含む、ミクサＭ１によって生じる一連の混合生成物から、所望の混合生成物、すなわち、信号Ｘ３を選択する。信号Ｘ３の虚像Ｘ３’及び不一致スパーＸｓは、フィルタＦＯＵＴの通過帯域外にある阻止域ＳＢ内にある。フィルタＦＯＵＴのタイプ及び特性は、一般に、信号Ｘ３の周波数ｆ３の範囲、及び、オプションによりヘテロダイン・システム１０が含まれる信号源の性能要件によって決まる。
【００１３】
図２Ｂには、本発明の代替実施態様による図２Ａに示すヘテロダイン・システム１０の典型的な構成が示されている。このヘテロダイン・システム２０の周波数経路Ｐ１には、整数周波数逓倍器である周波数スケーラ１６が含まれている。２つの縦続接続周波数二倍器（不図示）を用いて実施される整数逓倍器は、信号経路Ｐ１において駆動信号Ｘｄを受信し、駆動信号Ｘｄの周波数ｆｄに、この例の場合、整数の４に等しい乗数Ｂを掛ける。この例の信号経路Ｐ２には、周波数スケーラ１８が含まれておらず、結果として、係数ｇ及びＡがそれぞれ１になる。係数Ａが１の場合、スパーＸｓの周波数は、駆動信号Ｘｄの周波数ｆｄの整数倍に等しい量だけ信号Ｘ３からオフセットする。
【００１４】
単一フィルタ、複数フィルタ、または、切換え可能フィルタ・バンクを含むことが可能な、オプションで含まれるフィルタＦｉｎは、図示のように、信号経路Ｐ１内の逓倍器１６とミクサＭ１の間に挿入されている。フィルタＦｉｎは、駆動信号Ｘｄの第４高調波を選択して、ミクサＭ１を駆動する信号Ｘ１のスペクトル純度を改善する。フィルタＦｉｎのタイプ及び特性は、一般に、駆動信号Ｘｄの周波数ｆｄの範囲、信号Ｘ２の周波数ｆ２の範囲、周波数スケーラ１６によって得られる乗数Ｂ、及び、オプションによりヘテロダイン・システム２０が含まれる信号源の性能要件によって決まる。
【００１５】
信号経路Ｐ２には、図示のように、オプションにより、信号Ｘ２に変調を施すための変調器２２が含まれている。この例の場合、変調器２２は、駆動信号Ｘｄの周波数ｆｄの範囲にわたって動作し、Ｉ／Ｑ変調器である。しかし、信号経路Ｐ２には、代わりに、他のタイプの変調器も含まれる。変調器２２の通過損失、及び、オプションによりヘテロダイン・システム２０が含まれる信号源の要件に従って、信号経路Ｐ２にバイパス経路Ｐ３を追加することにより、代わりに、ミクサＭ１のポート２に対して十分に高レベルの非変調信号Ｘ２を加えることができるようにすることも可能である。
【００１６】
フィルタＦＯＵＴの通過帯域は、十分に広いので、信号Ｘ２に変調を施し、ミクサＭ１によって、フィルタＦＯＵＴの出力において示される信号Ｘ３に変換するのが可能になる。フィルタＦＯＵＴには、ミクサＭ１によって得られる一連の混合生成物から信号Ｘ３を選択するため、ミクサＭ１に縦続接続された単一フィルタ、複数フィルタ、または、切換え可能フィルタ・バンクを含むことが可能であり、ここで、フィルタＦＯＵＴのタイプ及び特性は、信号Ｘ３の周波数ｆ３の範囲、及び、オプションによりヘテロダイン・システム２０が含まれる信号源の性能要件によって決まる。
【００１７】
ある例では、駆動信号Ｘｄの周波数ｆｄの範囲は、３ＧＨｚ〜２０ＧＨｚにわたり、ミクサＭ１によって得られる信号Ｘ３は、周波数ｆ３の範囲が２０ＧＨｚ〜４４ＧＨｚにわたる。この例のフィルタＦＯＵＴ（図２Ｂに示す）には、それぞれ、表１に要約された周波数ｆ３の範囲の一部を対象とする、６つの切換え可能帯域フィルタＦ１〜Ｆ６が含まれている。
【００１８】
【表１】
2005086812.tif 000003
【００１９】
図２Ｃには、本発明の代替実施態様による信号源３０の一部として含まれる図２Ｂのヘテロダイン・システムが示されている。図２Ｂの典型的なヘテロダイン・システム２０が示されているが、信号源３０には、図２Ａのヘテロダイン・システム１０を含むことも可能である。この例の信号源３０には、切換え可能バイパス経路Ｐが含まれていて、スイッチＳＷ１〜ＳＷ３を介してヘテロダイン・システム３０の分路を形成することが可能になっており、信号源３０の出力ＯＵＴから駆動信号Ｘｄを送り出すことが可能である。
【００２０】
本発明の代替実施態様は、図４に示すヘテロダイン方法を対象としたものである。方法４０のステップ４２では、駆動信号Ｘｄを受信する。ステップ４４では、駆動信号Ｘｄに応答して、信号Ｘ１及び信号Ｘ２が送り出されるが、信号Ｘ１、Ｘ２の一方または両方の周波数ｆ１、ｆ２は、信号Ｘ１と信号Ｘ２の周波数の比が整数比になるように、駆動信号Ｘｄの周波数ｆｄに対してスケーリングまたは修正が施される。ステップ４６では、信号Ｘ１及び信号Ｘ２を混合することによって、信号Ｘ１及び信号Ｘ２の一連の混合生成物が得られる。ステップ４８では、混合生成物のうちの指定の１つ、すなわち、信号Ｘ３が、一連の混合生成物から選択される。
【００２１】
本発明の実施態様について詳細に例示してきたが、当然明らかなように、当該技術者であれば、付属の請求項に記載の本発明の範囲を逸脱することなく、これらの実施態様に対する修正及び改変を思いつくであろう。念のため、本発明の実施態様を以下に列挙する。
【００２２】
（実施態様１）
駆動信号を受信し、前記駆動信号に応答して第１の信号を送り出す第１の信号経路と、
前記駆動信号を受信し、前記駆動信号に応答して、第２の信号を送り出す第２の信号経路を有し、前記第１の信号経路及び前記第２の信号経路の少なくとも一方において、前記第１の信号の周波数を前記第２の信号の周波数で割った値が整数比をなすように、駆動信号の周波数にスケーリングが施されることと、さらに、
前記第１の信号及び前記第２の信号を受信して、前記第１の信号と前記第２の信号の一連の混合生成物を送り出すミクサが具備されることを特徴とする、
ヘテロダイン・システム。
【００２３】
（実施態様２）
前記一連の混合生成物に、指定の信号が含まれ、前記指定の信号以外の前記一連の混合生成物の周波数が、前記整数比を約分した場合、前記第２の信号の周波数を前記整数比の分母で割った値の整数倍だけ前記指定の信号からオフセットしていることを特徴とする、実施態様１に記載のヘテロダイン・システム。
【００２４】
（実施態様３）
さらに、前記一連の混合生成物のうち指定の１つを選択する少なくとも１つのフィルタが具備されることを特徴とする、実施態様１に記載のヘテロダイン・システム。
【００２５】
（実施態様４）
さらに、前記指定の信号を選択し、前記指定の信号以外の前記一連の混合生成物を除去する少なくとも１つのフィルタを具備することを特徴とする、実施態様２に記載のヘテロダイン・システム。
【００２６】
（実施態様５）
前記第１の信号経路に、周波数逓倍器が具備されることを特徴とする、実施態様１に記載のヘテロダイン・システム。
【００２７】
（実施態様６）
前記第２の信号経路に、前記第２の信号に変調を加える変調器が具備されることを特徴とする、実施態様１に記載のヘテロダイン・システム。
【００２８】
（実施態様７）
前記第２の信号経路に、前記第２の信号に変調を加える変調器が具備されることを特徴とする、実施態様５に記載のヘテロダイン・システム。
【００２９】
（実施態様８）
前記周波数逓倍器に、縦続接続周波数二倍器が含まれることを特徴とする、実施態様５に記載のヘテロダイン・システム。
【００３０】
（実施態様９）
さらに、前記第１の信号経路及び前記第２の信号経路に駆動信号を送り出す信号源が具備されることを特徴とする、実施態様１に記載のヘテロダイン・システム。
【００３１】
（実施態様１０）
さらに、出力に対して前記指定信号と前記駆動信号を交互に結合する切換え可能バイパス経路が具備されることを特徴とする、実施態様９に記載のヘテロダイン・システム。
【００３２】
（実施態様１１）
受信した駆動信号の周波数に整数倍のスケーリングを施して、第１の信号を送り出す第１の信号経路と、
前記駆動信号を受信し、前記駆動信号に応答して、第２の信号を送り出す第２の信号経路と、
前記第１の信号及び前記第２の信号を受信して、前記第１の信号及び前記第２の信号の一連の混合生成物を送り出すミクサとを具備する、
ヘテロダイン・システム。
【００３３】
（実施態様１２）
前記第２の信号経路に、前記第２の信号に変調を施すための変調器が具備されることを特徴とする、実施態様１１に記載のヘテロダイン・システム。
【００３４】
（実施態様１３）
前記変調器がＩＱ変調器であることを特徴とする、実施態様１２に記載のヘテロダイン・システム。
【００３５】
（実施態様１４）
さらに、前記一連の混合生成物から指定の混合生成物を選択する少なくとも１つのフィルタが具備されることを特徴とする、実施態様１１に記載のヘテロダイン・システム。
【００３６】
（実施態様１５）
前記少なくとも１つのフィルタが、前記第２の信号の周波数の整数倍だけ前記指定の混合生成物から周波数がオフセットした、前記一連の混合生成物を除去する阻止域を備えることを特徴とする、実施態様１４に記載のヘテロダイン・システム。
【００３７】
（実施態様１６）
さらに、前記第１の信号経路及び前記第２の信号経路に駆動信号を送り出す信号源が具備されることを特徴とする、実施態様１１に記載のヘテロダイン・システム。
【００３８】
（実施態様１７）
ヘテロダイン方法であって、
駆動信号を受信するステップと、
前記駆動信号に応答し、第１の信号の周波数を第２の信号の周波数で割った値が整数比になるようにして、前記第１の信号及び前記第２の信号を送り出すステップと、
前記第１の信号及び前記第２の信号を混合して、前記第１の信号及び前記第２の信号の一連の混合生成物を送り出すステップとを有する、
方法。
【００３９】
（実施態様１８）
前記一連の混合生成物に、指定の信号が含まれることと、前記指定の信号以外の前記一連の混合生成物の周波数が、前記整数比を約分した場合、前記第２の信号の周波数を前記整数比の分母で割った値の整数倍だけ前記指定の信号からオフセットしていることを特徴とする、実施態様１７に記載のヘテロダイン方法。
【００４０】
（実施態様１９）
さらに、前記一連の混合生成物のうち指定の１つを選択するステップを有することを特徴とする、実施態様１７に記載のヘテロダイン方法。
【００４１】
（実施態様２０）
さらに、前記第２の信号に変調を施すステップを有することを特徴とする、実施態様１７に記載のヘテロダイン方法。
【図面の簡単な説明】
【００４２】
【図１Ａ】先行技術による混合方式を示す図である。
【図１Ｂ】先行技術による混合方式を示す図である。
【図２Ａ】本発明の実施態様によるヘテロダイン・システムのブロック図である。
【図２Ｂ】本発明の実施態様によるヘテロダイン・システムのブロック図である。
【図２Ｃ】本発明の実施態様によるヘテロダイン・システムのブロック図である。
【図３】本発明の実施態様によるヘテロダイン・システム内の典型的な信号を示す図である。
【図４】本発明の代替実施態様によるヘテロダイン方法の流れ図である。
【図１Ａ】
2005086812.tif 000004
【図１Ｂ】
2005086812.tif 000005
【図２Ａ】
2005086812.tif 000006
【図２Ｂ】
2005086812.tif 000007
【図２Ｃ】
2005086812.tif 000008
【図３】
2005086812.tif 000009
【図４】
2005086812.tif 000010